(57)【要約】【課題】一般廃棄物や産業廃棄物等のごみを焼却するごみ焼却炉に灰溶融炉が併設されたものやガス化溶融炉の様にごみを処理して溶融スラグにするごみ処理設備に適用されるものに於て、細粒スラグの利用用途を解決する。【解決手段】溶融スラグＣを破砕する破砕機１２と、これからのスラグを分別する篩い機１３と、これからの細粒スラグＤを焼却炉２及び溶融炉６の排ガス処理設備であるバクフィルタ４，１０の入口側に吹き込む空気輸送手段１４とを備え、所謂溶融スラグＣを破砕した後にできる細粒スラグＤを焼却炉２及び溶融炉６の排ガス処理設備であるバクフィルタ４，１０で反応助剤Ｂとして使用する。【選択図】        図１
2004216303.tif 000002
【特許請求の範囲】
【請求項１】
溶融スラグを破砕した後にできる細粒スラグを焼却炉及び溶融炉の排ガス処理設備であるバクフィルタで反応助剤として使用する様にした事を特徴とするスラグの有効利用方法。
【請求項２】
細粒スラグを更に粉砕する様にした請求項１に記載のスラグの有効利用方法。
【請求項３】
溶融スラグを破砕する破砕機と、これからのスラグを分別する篩い機と、これからの細粒スラグを焼却炉及び溶融炉の排ガス処理設備であるバクフィルタの入口側に吹き込む空気輸送手段とを備えている事を特徴とするスラグの有効利用装置。
【発明の詳細な説明】
【０００１】
【発明の属する技術分野】
本発明は、例えば一般廃棄物や産業廃棄物等のごみを焼却するごみ焼却炉に灰溶融炉が併設されたものやガス化溶融炉の様にごみを処理して溶融スラグにするごみ処理設備に適用されるスラグの有効利用方法及びその装置の改良に関する。
【０００２】
【従来の技術】
一般に、ごみを処理して溶融スラグにするごみ処理設備としては、ごみ焼却炉に灰溶融炉を併設したものやガス化溶融炉があり、とりわけ、ごみ焼却炉に灰溶融炉を併設したものとしては、例えば図３に示すものが知られている（特許文献１乃至７参照）。
【０００３】
当該ごみ処理設備５０は、ごみを焼却する焼却炉５１と、これから排出される排ガスの熱を回収する廃熱ボイラ５２と、これからの排ガス中に含まれている飛灰を捕集するバグフィルタ５３と、これからの排ガスを誘引する誘引通風機５４と、これからの排ガスを大気に放出する煙突５５と、焼却炉５１からの焼却灰とバクフィルタ５３からの飛灰とを溶融する溶融炉５６と、これからの排ガスを燃焼させる燃焼室５７と、これからの排ガスを減温する減温塔５８と、これからの排ガス中に含まれている溶融飛灰を捕集するバグフィルタ５９と、これからの排ガスを誘引して煙突５５から排出させる誘引通風機６０とを備えている。
バグフィルタ５３，５９は、焼却炉５１及び溶融炉５６の乾式の排ガス処理設備を為し、その入口側には、消石灰等のアルカリ剤（中和剤）Ａと反応助剤Ｂとが一緒に供給される。アルカリ剤Ａは、バグフィルタ５３，５９への排ガスを中和する為に投入される。反応助剤Ｂは、バグフィルタ５３，５９のフィルタ上での圧力損失の上昇を抑制すると共に、酸性ガスの除去効率を高める為に投入される。
【０００４】
而して、ごみ処理設備５０は、溶融炉５６からの溶融スラグＣを破砕する破砕機６１と、これからのスラグを細粒スラグＤとそれ以外の粗粒スラグＥに分別する篩い機６２とを備えている。篩い機６２は、篩い目が０．０７５ｍｍにされている。
篩い機６２で分別された篩い目より大きい篩い上の粗粒スラグＥは、道路の路盤材等に有効利用されると共に、篩い目より小さい篩い下の細粒スラグＤは、埋立処分される。
【０００５】
【特許文献１】
特開昭５６−１１５４０１号公報
【特許文献２】
特開平７−２０４６０４号公報
【特許文献３】
特許第３１４６９１９号公報
【特許文献４】
特開平１０−７７６０２号公報
【特許文献５】
特開平１０−２２７４３１号公報
【特許文献６】
特開２０００−２０５５３６号公報
【特許文献７】
特開２００１−２７６７７４号公報
【０００６】
【発明が解決しようとする課題】
要するに、溶融炉から発生する溶融スラグは、道路の路盤材等に有効利用する為に破砕機で破砕されるが、その際に発生する細粒スラグは、飛散する恐れがあったので、除去されて居り、利用する用途がなかった。
【０００７】
本発明は、叙上の問題点に鑑み、これを解消する為に創案されたもので、その課題とする処は、細粒スラグの利用用途を解決する様にしたスラグの有効利用方法及びその装置を提供するにある。
【０００８】
【課題を解決するための手段】
本発明のスラグの有効利用方法は、基本的には、溶融スラグを破砕した後にできる細粒スラグをごみ焼却炉及び溶融炉の排ガス処理設備であるバクフィルタで反応助剤として使用する様にした事に特徴が存する。
【０００９】
本発明のスラグの有効利用装置は、溶融スラグを破砕する破砕機と、これからのスラグを分別する篩い機と、これからの細粒スラグをごみ焼却炉及び溶融炉の排ガス処理設備であるバクフィルタの入口側に吹き込む空気輸送手段とを備えている事に特徴が存する。
【００１０】
溶融炉からの溶融スラグは、破砕機に依り破砕された後、篩い機に依り細粒スラグと粗粒スラグに分別される。粗粒スラグは、従来と同様に道路の路盤材等に有効利用される。細粒スラグは、空気輸送手段に依り焼却炉及び溶融炉の排ガス処理設備であるバクフィルタの入口側に反応助剤としてアルカリ剤と一緒に吹き込まれる。従って、従来では埋立処分していた細粒スラグを反応助剤として有効利用する事ができる。その結果、反応助剤のコストの低減を図る事ができる。
【００１１】
細粒スラグを更に粉砕するのが好ましい。この様にすれば、バグフィルタの濾布上の払い落とし性及びアルカリ剤の反応性の向上を図る事ができる。
【００１２】
【発明の実施の形態】
以下、本発明の実施の形態を、図面に基づいて説明する。
図１は、本発明の第一例に係るスラグの有効利用方法を採用するに好適なごみ処理設備を示す概要図である。
【００１３】
ごみ処理設備１は、ごみを焼却する焼却炉２と、これから排出される排ガスの熱を回収する廃熱ボイラ３と、これからの排ガス中に含まれている飛灰を捕集するバグフィルタ４と、これからの排ガスを誘引する誘引通風機５と、これからの排ガスを大気に放出する煙突６と、焼却炉２からの焼却灰とバクフィルタ４からの飛灰とを溶融する溶融炉７と、これからの排ガスを燃焼させる燃焼室８と、これからの排ガスを減温する減温塔９と、これからの排ガス中に含まれている溶融飛灰を捕集するバグフィルタ１０と、これからの排ガスを誘引して煙突６から排出させる誘引通風機１１とを備えている。
【００１４】
而して、ごみ処理設備１は、溶融炉７からの溶融スラグＣを破砕する破砕機１２と、これからのスラグを細粒スラグＤとそれ以外の粗粒スラグＥに分別する篩い機１３と、これからの細粒スラグＤを焼却炉２及び溶融炉７の乾式の排ガス処理設備であるバクフィルタ４，１０の各入口側にアルカリ剤Ａと一緒に吹き込む空気輸送手段１４とを備え、これらに依り所謂スラグの有効利用装置を為している。
【００１５】
篩い機１３は、篩い目が０．０７５ｍｍの篩いが用いられて居り、篩い下にはこれより小さい細粒スラグＤが、篩い上にはこれより大きな粗粒スラグＥが分別される様になっている。
【００１６】
空気輸送手段１４は、図略しているが、篩い機１３からの細粒スラグＤを貯留するサイロと、ここに貯溜された細粒スラグＤを定量つづ送出する定量供給機と、これからの細粒スラグＤを焼却炉２及び溶融炉７のバグフィルタ４，１０の入口側（入口ダクト）に導くダクトと、これを通じて細粒スラグＤをバグフィルタ４，１０の入口側へ空気輸送して吹き込むブロワ等を備えている。
【００１７】
次に、この様な構成に基づいてその作用を述解する。
ごみは、焼却炉２に投入されて焼却される。焼却炉２からの排ガスは、廃熱ボイラ３に依り熱回収された後に、この中に含まれている飛灰（塵埃や固形化合物や重金属類）がバグフィルタ４に依り捕集される。バグフィルタ４からの排ガスは、誘引通風機５に依り誘引されて煙突６から大気に放出される。
焼却炉２から排出された焼却灰とバクフィルタ４からの飛灰は、溶融炉７に送られてここで溶融される。溶融炉７からの排ガスは、燃焼室８に依り燃焼されて減温塔９に依り減温され、この中に含まれている溶融飛灰がバグフィルタ１０により捕集される。バグフィルタ１０からの排ガスは、誘引通風機１１に依り誘引されて煙突６から大気に排出される。
【００１８】
溶融炉７から排出された溶融スラグＣは、破砕機１２に依り破砕された後、篩い機１３に依り篩い上の細粒スラグＤと篩い下の粗粒スラグＥに分別される。粗粒スラグＥは、従来と同様に道路の路盤材等に有効利用される。細粒スラグＤは、空気輸送手段１４に依り焼却炉２及び溶融炉７の排ガス処理設備であるバクフィルタ４，１０の入口側に反応助剤Ｂとしてアルカリ剤Ａと一緒に吹き込まれる。
【００１９】
ところで、消石灰等のアルカリ剤Ａを乾式の排ガス処理設備に使用する際には、フィルタ上での圧力損失の上昇を抑制すると共に、酸性ガスの除去効率を高める為に、反応助剤Ｂを使用する事が多い。
反応助剤Ｂとしては、ケイ素（Ｓｉ）、アルミニウム（Ａｌ）が主成分のものが使用される。これに対して、溶融スラグＣを破砕して篩い分けした細粒スラグＤは、主成分がケイ素（Ｓｉ）、アルミニウム（Ａｌ）、カルシウム（Ｃａ）であり、ガラス状であるので、反応性や吸湿性がない等、通常用いられている反応助剤と物理的な諸性状が似ている為に利用が可能である。
従って、従来では埋立処分していた細粒スラグＤを反応助剤Ｂとして有効利用する事ができる。その結果、反応助剤のコストの低減を図る事ができる。
【００２０】
次に、本発明の第二例を、図２に基づいて説明する。
図２は、本発明の第二例に係るスラグの有効利用方法を採用するに好適なごみ処理設備を示す概要図である。
【００２１】
第二例は、篩い機１３と空気輸送手段１４との間に細粒スラグＤを更に細かく粉砕する粉砕機１５を設けた点、が第一例と異なり、その他は、第一例と同様である。
粉砕機１５は、篩い機１３からの細粒スラグＤを平均２０〜３０μｍ程度に粉砕するものにしてある。
この様なものは、細粒スラグＤが更に細かくなっているので、バグフィルタ４，１０の濾布上の払い落とし性及びアルカリ剤Ａの反応性の向上を図る事ができる。
【００２２】
尚、篩い機１３は、先の例では、篩い目が０．０７５ｍｍであったが、これに限らず、例えばこれ以外の大きさでも良い。
空気輸送手段１４は、先の例では、サイロと定量供給機とダクトとブロワ等を備えたものであったが、これに限らず、例えば他の構造のものでも良い。
【００２３】
【発明の効果】
以上、既述した如く、本発明に依れば、次の様な優れた効果を奏する事ができる。
（１）  溶融スラグを破砕した後にできる細粒スラグを焼却炉及び溶融炉の排ガス処理設備であるバクフィルタで反応助剤として使用する様にしたので、細粒スラグの有効利用が可能になる。
（２）  細粒スラグを反応助剤として使用する様にしたので、反応助剤のコストの低減を図る事ができる。
【図面の簡単な説明】
【図１】本発明の第一例に係るスラグの有効利用方法を採用するに好適なごみ処理設備を示す概要図。
【図２】本発明の第二例に係るスラグの有効利用方法を採用するに好適なごみ処理設備を示す概要図。
【図３】従来のごみ処理設備を示す概要図。
【符号の説明】
１，５０…ごみ処理設備、２，５１…焼却炉、３，５２…廃熱ボイラ、４，１０，５３，５９…バグフィルタ、５，１１，５４，６０…誘引通風機、６，５５…煙突、７，５６…溶融炉、８，５７…燃焼室、９，５８…減温塔、１２，６１…破砕機、１３，６２…篩い機、１４…空気輸送手段、１５…粉砕機、Ａ…アルカリ剤、Ｂ…反応助剤、Ｃ…溶融スラグ、Ｄ…細粒スラグ、Ｅ…粗粒スラグ。
【図１】
2004216303.tif 000003
【図２】
2004216303.tif 000004
【図３】
2004216303.tif 000005